(57)【要約】  【課題】審査員が利用者の歌唱力を審査し、級位や段位などを認定するための審査エントリー機能を有するカラオケシステムであって、カラオケ演奏端末が付帯する歌唱力の採点機能を有効に活用し、自らの目標設定ができると共に、他の利用者のカラオケ利用に支障を生じさせることなく、また、歌唱時にプレッシャーを受けることなく、本来の力が発揮でき、効率的に本審査を行い得るカラオケシステムの提供。  【解決手段】任意のカラオケ演奏端末において、利用者ＩＤが認識された利用者に対しては、通常のカラオケ利用において、その歌唱音声に対して採点および録音を行い、任意の楽曲に対する利用者の歌唱音声の採点結果が、カラオケホスト装置にて、予め当該利用者が歌唱力審査エントリーのために設定登録した当該楽曲に対する設定採点値に基づき、これを越えた場合に、当該楽曲の歌唱音声の録音情報に対する歌唱力審査エントリーを受け付け可能とするカラオケシステムを構築した。【選択図】図７
2005345557.tif 000002
【特許請求の範囲】
【請求項１】
カラオケホスト装置と、当該ホスト装置とネットワーク通信回線を介して接続され、利用者ＩＤの認識機能、歌唱力の採点機能および歌唱音声の録音機能を有したカラオケ演奏端末とを主体とし、利用者の歌唱力を審査エントリーするためのカラオケシステムであって、
（ア）任意の前記カラオケ演奏端末において、利用者ＩＤが認識された任意の利用者が歌唱した際、その楽曲の歌唱音声に対して採点および録音を行い、
（イ）任意の楽曲に対する当該利用者の歌唱音声の採点結果が、前記カラオケホスト装置にて、予め当該利用者が歌唱力審査エントリーのために設定登録した当該楽曲に対する設定採点値に基づき、これを越えた場合は、当該楽曲の前記歌唱音声の録音情報に対する歌唱力審査エントリーを受け付け可能とし、超えなかった場合は受け付け不可としてなるカラオケシステム。
【発明の詳細な説明】
【技術分野】
【０００１】
本発明は歌唱力審査エントリーカラオケシステムに関し、さらに詳しくは、カラオケホスト装置と、当該ホスト装置とネットワーク通信回線を介して接続され、利用者ＩＤの認識機能、歌唱力の採点機能および歌唱音声の録音機能を有したカラオケ演奏端末とを主体とし、利用者の歌唱力を審査エントリーするためのカラオケシステムに関する。
【背景技術】
【０００２】
良く知られているように、現在のカラオケ演奏装置には歌唱力の採点機能が付帯されている。この採点機能とは、カラオケ楽曲の演奏中にマイクから入力される歌唱音声とカラオケ伴奏音楽の主旋律などとを比較し、その音程や発音タイミングの差によって採点するものである。具体的には、楽曲の演奏過程においてフレーズや小節など所定の音符領域を１つの採点区間とし、マイクより入力した歌唱者の音声信号と、カラオケ伴奏音楽の主旋律などの基準データ（リファレンス）とを、この区間毎に比較する。そして、採点区間毎の比較結果を所定のタイミングにて集計して表示し、最終的には伴奏音楽の演奏開始から終了まで集計し、その集計値を適宜に処理して採点結果を作成する。
【０００３】
また、通信カラオケシステムの演奏端末となるカラオケ演奏端末は、カラオケホスト装置にネットワーク接続され、当該ホスト装置からカラオケ伴奏音楽や歌詞テロップの生成起源となるカラオケデータをダウンロードしたり、カラオケ演奏端末自体の稼働ログをホスト装置にアップロードしたりしている。そこで、歌唱力採点機能が利用されると、楽曲演奏中の採点や最終的な採点結果などの採点情報がホスト装置に送信される。現在では、この機能を利用し、ホスト装置は各地のカラオケ演奏端末から採点情報を収集し、採点ランキングなどにまとめて、その収集情報を各地のカラオケ演奏端末に配信し、各カラオケ演奏端末は、配信された情報を適宜に表示出力して利用者にランキング情報を提示する。
【０００４】
従来、このような採点機能が付帯されたカラオケシステムに関する様々な技術が想到されてきた。例えば、特許文献１では、カラオケ演奏端末が利用者を特定するための利用者ＩＤを取得することで、誰が何を歌唱したかが認識され、その採点情報をカラオケホスト装置に送信し、当該ホスト装置は、その採点情報に基づき、月間あるいは年間など所定期間毎に採点ランキングを作成する技術が開示されている。また、特許文献２では、利用者が楽曲の演奏過程における適宜な区間を指定し、この指定区間における採点情報をディスプレイ表示する技術が開示されている。
【０００５】
ところで、近年、カラオケの普及により一般人の歌唱力レベルが向上し、カラオケ伴奏を利用した素人カラオケ大会などといった歌唱力を競うイベントなども多く行われ、一般人であってもプロ歌手にも負けない歌唱力を有する歌唱者も増えている。このような歌唱力レベルの向上に伴い、自らの歌唱力を客観的に評価してもらいたいという要求に応えるように、段位や級位を設定して認定する企画がなされている。しかし、歌唱力を審査して認定する従来のシステムでは、審査員を目の当たりにする歌唱力認定では、人前で歌唱するのが苦手な歌唱者は強いプレッシャーを受けて審査エントリーをためらったり、あるいは、歌唱力認定は所定の日時に所定の場所にて行われるために時間的な拘束があり、このような制約から、優れた歌唱力を有する歌唱者であっても審査エントリーができないという問題があった。
【０００６】
そこで、最近では、所定のカラオケ楽曲に対する歌唱者の歌唱音声を録音し、この録音情報を、ネットワーク通信回線を介して転送できるようにした通信カラオケシステムが開発され、これにより、カラオケ演奏端末を利用して、全ての歌唱者が平等な条件下で審査エントリーできる歌唱力審査システムが想到された。例えば、特許文献３では、カラオケ採点装置を用いて得られた得点に応じて複数の能力段階に分類する能力段階分類手段と、この能力段階分類手段により分類された能力段階の名称を表示する表示手段とを備えたカラオケ演奏端末が想到され、これによって歌唱能力を能力段階の名称で表示させる技術が開示されている。さらに、特許文献４では、カラオケ演奏端末が歌唱者の歌唱音声をデジタル録音し、オーディション用サーバとの間にデータ通信を行うオーディション機能を備えた通信カラオケシステムについての技術が開示されている。
【特許文献１】特開平１０−０５５１８４号公報
【特許文献２】特開平１０−３０１５８８号公報
【特許文献３】特開平１０−０２６９９３号公報
【特許文献４】特開２０００−２３１３９２号公報
【０００７】
しかしながら、従来のカラオケシステムでは、審査員が利用者の歌唱力（段位・級位）を審査し認定するためのプレ審査として、カラオケ演奏端末が付帯する歌唱力の採点機能を有効に活用したものはなく、例えば、プレ審査を行わず、闇雲に審査エントリーを受け入れた場合、その希望者数が想定外に増加した際に、本審査に支障をきたすこともある。また、従来のカラオケシステムでは、歌唱力審査エントリーは、通常のカラオケ利用とは切り離した特別なプロセスに従って進行するため、この審査エントリーの際には、他の利用者のカラオケ利用に支障を生じさせることがある。さらに、審査エントリー時に、あらためて審査専用に歌唱をするため、歌唱時にプレッシャーを受けることになり、人によっては本来の力を発揮できなくなる、などといった不都合があった。
【発明の開示】
【発明が解決しようとする課題】
【０００８】
そこで、本発明は上記不都合の解決を課題とし、具体的には、審査員が利用者の歌唱力を審査し、級位や段位などを認定するための審査エントリー機能を有するカラオケシステムであって、カラオケ演奏端末が付帯する歌唱力の採点機能を有効に活用し、自らの目標設定ができると共に、他の利用者のカラオケ利用に支障を生じさせることなく、また、歌唱時にプレッシャーを受けることなく、本来の力が発揮でき、効率的に本審査を行い得るカラオケシステムの提供を課題とする。
【課題を解決するための手段】
【０００９】
上記課題を鑑み、本発明者らは、任意のカラオケ演奏端末において、利用者ＩＤが認識された利用者に対しては、通常のカラオケ利用において、その歌唱音声に対して採点および録音を行い、任意の楽曲に対する利用者の歌唱音声の採点結果が、カラオケホスト装置にて、予め当該利用者が歌唱力審査エントリーのために設定登録した当該楽曲に対する設定採点値に基づき、これを越えた場合に、当該楽曲の歌唱音声の録音情報に対する歌唱力審査エントリーを受け付け可能とするシステムを構築することにより、上記課題を解決できることを見出し、本発明の歌唱力審査エントリーカラオケシステムを想到した。
【００１０】
すなわち、本発明の歌唱力審査エントリーカラオケシステムは、
カラオケホスト装置と、当該ホスト装置とネットワーク通信回線を介して接続され、利用者ＩＤの認識機能、歌唱力の採点機能および歌唱音声の録音機能を有したカラオケ演奏端末とを主体とし、利用者の歌唱力を審査エントリーするためのカラオケシステムであって、
（ア）任意の前記カラオケ演奏端末において、利用者ＩＤが認識された任意の利用者が歌唱した際、その楽曲の歌唱音声に対して採点および録音を行い、
（イ）任意の楽曲に対する当該利用者の歌唱音声の採点結果が、前記カラオケホスト装置にて、予め当該利用者が歌唱力審査エントリーのために設定登録した当該楽曲に対する設定採点値に基づき、これを越えた場合は、当該楽曲の前記歌唱音声の録音情報に対する歌唱力審査エントリーを受け付け可能とし、超えなかった場合は受け付け不可としてなることを特徴とする。
【発明の効果】
【００１１】
本発明のカラオケシステムによれば、利用者自身がカラオケ演奏端末が付帯する採点機能という客観的な判断を有効に活用して自らの判断基準を設け、通常のカラオケ利用において、その基準をクリアした場合に限り、歌唱力審査エントリーを受け付け可能とすることで、利用者自らが満足行く審査エントリーができ、また、通常のカラオケ利用とは切り離した特別なプロセスに従って進行するものではないため、他の利用者のカラオケ利用に支障を生じさせることなく、さらに、審査エントリー時に、あらためて審査専用に歌唱する必要がないため、歌唱時にプレッシャーを受けずに本来の力を発揮できる、などといった効果を奏する。
【発明を実施するための最良の形態】
【００１２】
以下、本発明のカラオケシステムについての最適な実施例を挙げて、本発明を説明するが、先ず、請求項１記載の枕詞および（ア）の構成について詳述する。
【実施例１】
【００１３】
図１は本発明のカラオケシステムのネットワーク構成図である。本実施例のカラオケシステム（１）は、カラオケホスト装置（Ｈ）と、当該ホスト装置（Ｈ）とネットワーク通信回線（Ｎ）を介して通信可能に接続され、利用者ＩＤの認識機能、歌唱力の採点機能および歌唱音声の録音機能を有したカラオケ演奏端末（Ｐ，Ｐ…）を主体としてなる。詳しくは、先ず、カラオケホスト装置（Ｈ）は大容量の記録手段を備え、この記録手段には各カラオケ演奏端末（Ｐ，Ｐ…）から収集したログが記録され、このログには採点情報が含まれている。一方、カラオケ演奏端末（Ｐ）は、カラオケホスト装置（Ｈ）からダウンロードされた楽曲データを読み出して音源に供給することによりカラオケ演奏の楽音を形成する。この楽曲データにはガイドメロディデータが含まれており、一般的に、このガイドメロディデータを利用し、マイクから入力される歌唱音声信号を、このガイドメロディデータと比較することで歌唱力を採点する。歌唱力採点は、通常、音程・音量・リズムなどの３〜７つの要素について行われ、さらに、これらの要素を総合した総合ポイントが算出される。例えば、楽曲の演奏中や演奏終了時に、所定数のフレーズ毎の得点を合算し、平均して総合ポイントを算出し、これを採点結果として表示する。
【００１４】
次に、図２は本発明のカラオケシステムを構成するカラオケ演奏端末のブロック構成図である。本実施例におけるカラオケ演奏端末（Ｐ）は、装置全体の動作を制御する中央制御手段（ＣＰＵ：１０）と、これに接続された各種機器で構成され、この中央制御手段（１０）には、ハードディスク（１１）、ＲＡＭ（１２）、音源（シンセサイザ：１３）、ミキサ（エフェクタ：１４）、ボーカルアダプタ（１９）、ＭＰＥＧデコーダ（２０）、合成回路（２１）、リモコン装置（２３）、利用者ＩＤが付されたＩＣカード読み取り／書き込み装置（Ｒ／Ｗ：３７）などが接続されている。また、ハードディスク（１１）には、カラオケ楽曲を演奏するための楽曲データ（３８）やディスプレイ装置（２２）に背景映像を表示するための背景映像データ（３９）などを記録している。
【００１５】
ここで、各機能手段について少々説明する。先ず、音源（１３）は、中央制御手段（１０）が実行する楽曲シーケンサ（３１）の処理によって入力された楽曲データに応じて楽音信号を形成する。形成された楽音信号はミキサ（１４）に入力され、このミキサ（１４）は、音源（１３）が発生した複数の楽音信号やカラオケマイク（１７）と、Ａ／Ｄコンバータ（１８）を介して入力された歌唱者の歌唱音声信号を適当なバランスでミキシングする。ミキシングされたデジタル音声信号はサウンドシステム（ＳＳ：１５）に入力される。このサウンドシステム（１５）はパワーアンプを備え、入力されたデジタル信号をアナログ信号に変換して増幅し、スピーカ（１６）から楽音と歌唱音声を放音する。
【００１６】
また、Ａ／Ｄコンバータ（１８）によってデジタル信号に変換された歌唱音声信号は、ボーカルアダプタ（１９）にも入力される。このボーカルアダプタ（１９）は、入力された歌唱音声信号から歌唱周波数を採取すると共に、中央制御手段（１０）の楽曲シーケンサ（３１）から入力されたリファレンスの周波数を採取する。そして、この歌唱周波数とリファレンス周波数を同期させ、所定時間毎に区切って中央制御手段（１０）に入力し、歌唱力採点手段（３５）による採点処理を行う。なお、リファレンスとしては、前述したように、通常、楽曲に含まれるガイドメロディデータが用いられる。
【００１７】
歌唱力の採点は歌唱力採点手段（３５）によって行われ、歌唱周波数の採点結果を基本とし、様々な歌唱要素を評価する所定のアルゴリズムにて最終得点を算出する。例えば、採点は歌唱者の歌唱音声をリファレンスと比較することによって行われ、楽曲の終了時にその点数を表示する。ハードディスク（１１）には採点テーブル（図示省略）が記録されており、この採点テーブルの採点は、基本的には歌唱の周波数（音程・ピッチ）について行い、基本点数を算出すると共に、ビブラートの程度、抑揚の程度、音質の良否、タイミングの良否、しゃくりの回数などに基づき、ボーナスポイントを算出して基本点数に加算（減算）する。さらに、ＲＡＭ（１２）には、各種プログラムや楽曲データを読み出すエリアの他、採点時に採点結果を記録する採点ログエリアなどが設定されている。
【００１８】
ハードディスク（１１）に記録されている背景映像データ（３９）は、ＭＰＥＧ２形式にエンコードされており、中央制御手段（１０）が実行する背景映像再生手段（３４）により再生処理を行い、これを読み出してＭＰＥＧデコーダ（２０）に入力する。このＭＰＥＧデコーダ（２０）は、入力されたＭＰＥＧデータをＮＴＳＣの映像信号に変換して合成回路（２１）に入力し、この合成回路（２１）は、この背景映像の映像信号上に歌詞テロップや採点表示などのＯＳＤを合成し、合成された映像信号はディスプレイ装置（２２）に表示される。
【００１９】
リモコン装置（２３）は利用者インタフェイスやリモコン信号送信回路（図示省略）などからなり、利用者の操作に応じた操作信号を中央制御手段（１０）に入力する。中央制御手段（１０）は、操作入力処理手段（３６）によって、この操作信号を検出し、対応する処理を行う。例えば、リモコン装置（２３）にて楽曲コードが入力されると、これを操作入力処理手段（３６）が検出し、カラオケ楽曲のリクエストであるとしてシーケンサ（３０）に伝達する。このシーケンサ（３０）は、これに応じて、この楽曲コードで識別される楽曲データをハードディスク（１１）の楽曲データ記録エリア（３８）から読み出す。また、このシーケンサ（３０）は主に楽曲シーケンサ（３１）および歌詞シーケンサ（３２）からなっており、楽曲シーケンサ（３１）は楽曲データ中の演奏データトラック、ガイドメロディトラックなどのトラックデータを読み出し、このデータで音源（１３）を制御することでカラオケ楽曲の演奏を行い、一方、歌詞シーケンサ（３２）は文字パターン作成手段（３３）を備えており、楽曲データ中の歌詞トラックのデータを読み出し、このデータに基づいて歌詞テロップの画像パターンを作成し、これを合成回路（２１）に出力する。
【００２０】
録音入力インタフェイス（２４）は、ミキサ（１４）から受け取った、楽曲データに応じた楽音信号とカラオケマイクに入力された歌唱音声との混合信号を入力し、この混合信号をサンプリングしてＰＣＭデータへの変換処理を行う。このＰＣＭデータは歌唱力音声データ（録音情報：４３）とされ、楽曲コード（４１）と歌唱力採点手段（３５）にて採点された採点ログ（採点結果：４２）と共に、利用者ＩＤ（４０）に紐付けされてハードディスク（１１）に記録される。そして、歌唱者のエントリー指示により、これら利用者ＩＤ（４０）を紐付けした、楽曲コード（４１）、歌唱音声の録音情報（４３）および採点結果（４２）をエントリー情報とし、この情報はネットワーク通信回線を介してカラオケホスト装置へ送られ、当該カラオケホスト装置は、これを歌唱力審査対象情報として管理する。
【００２１】
次に、図３は歌唱音声の採点機能ブロック構成図である。マイク（１７）から入力された歌唱音声信号はＡ／Ｄコンバータ（１８）でデジタル音声信号に変換され、ボーカルアダプタ（１９）に入力される。ボーカルアダプタ（１９）は、このデジタル音声信号をそのまま歌唱力採点手段（３５）に出力すると共に、歌唱周波数検出部（５２）が歌唱周波数（セント値）を検出し、これを歌唱力採点手段（３５）に出力する。また、歌唱音声信号の音声波形はエンベロープ検出部（５８）に送られて振幅が検出され、その歌唱レベル値が歌唱力採点手段（３５）に出力される。一方、リファレンス周波数検出部（５１）には、カラオケ楽曲の演奏に同期して楽曲シーケンサ（３１）からリファレンスデータが入力される。このリファレンス周波数検出部（５１）は、入力されたＭＩＤＩデータのノートオンイベントデータから音高情報を抽出し、その音高のセント値をリファレンス周波数として歌唱力採点手段（３５）に出力する。また、ボーカルアダプタ（１９）には楽曲シーケンサ（３１）からノートオン情報、ノートオフ情報、マークデータ情報などの制御情報が入力されるため、リファレンス周波数検出部（５１）も歌唱力採点手段（３５）に出力する。
【００２２】
なお、歌唱力採点手段（３５）は、入力された歌唱周波数およびリファレンス周波数を所定のメモリ（図示せず）に書き込むと共に、これら周波数データに対してローパスフィルタ（ＬＰＦ：５５，５６）にて処理を行う。このＬＰＦ処理は、リファレンス周波数情報に対しては音高変化を滑らかにしたり、歌唱周波数情報に対してはビブラートなどの技巧を除去してフラットな情報を得るものである。
【００２３】
採点部（５７）における採点は所定のアルゴリズムに基づき行われるが、通常、これは歌唱周波数とリファレンス周波数とを比較し、その差分（セント値）を算出し、この差分に基づいて各ノート（音符）毎に「合格ノート」と「不合格ノート」を判定するものであり、この採点部（５７）には、リファレンス周波数検出部（５１）からノートオン情報とノートオフ情報が入力され、その区間に歌唱周波数が所定サンプル以上歌唱旋律の音高に合っていた場合には合格ノートであると判定し、歌唱周波数が歌唱旋律の音高に合った回数が所定サンプル未満であった場合には不合格ノートであると判定する。基本点数は、例えば、合格ノート数を全ノート数で除した値に基づき算出して求められ、歌唱力採点手段（３５）は、歌唱周波数以外に歌唱のビブラート、抑揚、声質、タイミング、しゃくりなどの歌唱要素を検出し、これも所定のアルゴリズムに基づいて付加的なポイントを算出して、これを基本得点に加算ないし減算したものを最終得点としている。
【００２４】
以下、図４に示す、本発明のカラオケシステムを構成するカラオケホスト装置のブロック構成図と、図５に示す、設定採点情報管理テーブルの概念的構成図に基づき、請求項１記載の（イ）の構成について詳述する。
【００２５】
先ず、図４に示すように、本実施例におけるカラオケホスト装置（Ｈ）へは、ネットワーク通信回線（Ｎ）を介して接続されたカラオケ演奏端末（Ｐ）から、利用者ＩＤ別の採点結果が通信制御手段（６２）を窓口として転送されてくる。なお、利用者ＩＤについては、各利用者は予めカラオケ演奏端末（Ｐ）に付帯したＩＣカード読み取り／書き込み装置（３７）をもって、自らの利用者ＩＤをログイン入力して決定される。なお、利用者ＩＤの認識については、利用者ＩＤが付されたＩＣカードを用いることに限らず、例えば、パスワードの入力や指紋や声紋などの生体識別機能に依るものであっても構わない。
【００２６】
中央制御手段（６１）は、カラオケ演奏端末（Ｐ）から転送されてきた利用者の採点結果と比較するための設定採点が、ハードディスク（６３）の設定採点情報管理テーブル（Ｔ）に、予め利用者によって設定登録されている。また、このハードディスク（６３）には、審査対象となった録音情報について利用者ＩＤ別に管理するための審査対象情報管理ファイル（６４）も設定されており、この情報ファイル（６４）には、利用者ＩＤ（６５）、楽曲コード（６６）、採点結果（６７）、録音情報（６８）などが記録されている。
【００２７】
次に、図５に示すように、この設定採点情報管理テーブル（Ｔ）は、リモコン装置に設けられているＧＵＩ環境を提供しているタッチセンサ方式の操作パネルをもって、予め利用者が歌唱力審査エントリーのために設定されたフォーマット入力に基づいて作成されるものである。主な構成としては、歌唱者を特定する「利用者ＩＤ」フィールド（ｆ１）、設定採点の対象となる楽曲を特定する「楽曲コード」フィールド（ｆ２）、その設定採点を示す「設定採点値」フィールド（ｆ３）、過去に審査によって認定された段位・級位を示す「認定段位」フィールド（ｆ４）、設定登録した日時を示す「設定日時」フィールド（ｆ５）などからなる。なお、勿論、「設定採点値」フィールド（ｆ３）のデータについては、中途での設定採点値の削除や変更なども、適宜、行うことができる。
【００２８】
さらに、ここで、図６に示す、歌唱力審査エントリー用の表示画面の変遷図と、図７に示す、本発明における歌唱力審査エントリーのシステムフロー図に基づき、本発明のシステムフローについて詳述する。
【００２９】
先ず、図６に示す、Ｄ１ａ、Ｄ１ｂ、Ｄ２、Ｄ３はそれぞれ、リモコン装置が付帯するＬＣＤの表示画面である。なお、これら画面表示は、リモコン装置のＬＣＤと共に、図１におけるディスプレイ装置（２２）に表示しても構わない。なお、ディスプレイ装置にはＧＵＩ環境が設定されていないので、ＧＵＩ環境が備えられたリモコン装置が利用できない場合は、カラオケ演奏端末が付帯する操作パネルやキーボードを利用する。そして、任意の楽曲に対する利用者の歌唱音声の採点結果が、予め当該利用者が歌唱力審査エントリーのために設定登録した当該楽曲に対する設定採点値に基づき、これを越えて審査エントリーができる場合は、その旨を表記した表示画面（Ｄ１ａ）には採点結果（７１）を含めたメッセージと共に、「エントリー」のアイコン（７３）が表示され、さらに、この場合は、その時録音された自らの歌唱を「試聴」のアイコン（７２）を選択して聴くこともできる。
【００３０】
反面、これを超えられず審査エントリーができない場は、その旨を表記した表示画面（Ｄ１ｂ）には採点結果（７１）を含めたメッセージが表示され、当然、「エントリー」アイコン（７３）は表示されない。なお、本実施例では、審査エントリーができない場は、その旨を表記した表示画面（Ｄ１ｂ）が表示されるが、必ずしもこれは必要なく、この場合には何も表示しなくても構わない。また、審査エントリーをしない、ないし、できないことが確定した時点、あるいは、できる場合でも審査エントリーせずに所定時間が経過した時点で、カラオケ演奏端末およびカラオケホスト装置に記録された、利用者ＩＤを紐付けした楽曲ＩＤコード、採点結果、録音情報などは自動的に消去される。
【００３１】
上記で審査エントリーができる場合は、その表示画面（Ｄ１ａ）の「エントリー」のアイコン（７３）を選択することで、審査料（エントリー料）支払いの表示画面（Ｄ２）に変わる。この表示画面（Ｄ２）では、支払い方法は二つ指定され、一つは、個人ＩＤ認証と共に金銭の授受ができる前払式電子マネー用ＩＣカードを利用する方法で、もう一つは現金を利用する方法である。具体的には、「ＩＣカード」のアイコン（７４）ないし「キャッシュ」のアイコン（７５）を選択して支払いを行い、カラオケ演奏端末付帯のＩＣカード読み取り／書き込み装置ないしキャッシュボックスにて審査料が引き落とされる。なお、前払式電子マネー用ＩＣカードを利用する場合には、当該ＩＣカードには課金情報と共にエントリー情報に関するデータも記憶する。そして、支払いが完了すると、利用者の氏名や歌唱楽曲名などと共に、正式にエントリーされた旨のメッセージ（７６）の表示画面（Ｄ３）に変わり、その後、通常の画面に戻る（図示省略）。
【００３２】
次に、図７は歌唱力審査エントリーのシステムフロー図であるが、先ず、利用者は通常のカラオケ利用する（Ｓ１）過程にて、適宜なタイミングで、自らの利用者ＩＤをもってログインする（Ｓ２）。このログイン操作によって、この利用者ＩＤは演奏装置本体の所定の記録部に記録される（Ｓ３）。次に、通常のカラオケ利用に従って歌唱する楽曲コードを指定する（Ｓ４）と、通常のタイミングで楽曲が演奏されるが、その都度、歌唱音声に対する採点と録音が同時に行われる（Ｓ５）。楽曲演奏が終わると、利用者ＩＤを紐付けした楽曲ＩＤコード、採点結果、録音情報が、一旦、演奏装置本体の所定の記録部に記録される（Ｓ６）。そして、これらエントリー情報の内、利用者ＩＤ、採点結果、楽曲コードがカラオケホスト装置にアップロードされる（Ｓ７）。
【００３３】
アップロードされた採点結果は、前述した設定採点情報管理テーブルを用いて、当該楽曲が設定登録されていれば、これと比較される（Ｓ８）。この時、設定登録した当該楽曲に対する設定採点値との比較結果の判断（Ｓ９）に基づき、設定採点値を越えた場合は、歌唱力審査エントリーを受け付ける旨を表記した表示画面を表示し（Ｓ１１）、超えなかった場合は、その旨の表示画面は表示しない（Ｓ１０）。審査エントリーが受け付け可能となり、利用者が審査エントリーを指示する（Ｓ１２）と、審査料の請求が行われる（Ｓ１３）。利用者が所定の方法で審査料を入金する（Ｓ１４）と、カラオケホスト装置の審査対象情報管理ファイルに当該エントリー情報が記録されて、審査対象情報として管理される（Ｓ１５）。なお、利用者ＩＤによるログオフ（Ｓ１６）をもって、この機能は終了するが、ログオフをしない限り、このサイクルは繰り返される（図示省略）。
【００３４】
以上、詳述したように、本発明のカラオケシステムによれば、利用者自身が、カラオケ演奏端末が付帯する採点機能という客観的な判断を有効に活用して、自らの設定採点値を設けることで、自らが満足行く審査エントリーができ、また、通常のカラオケ利用に従って進行するため、他の利用者のカラオケ利用に支障を生じさせることなく、さらに、審査エントリー時に、あらためて審査専用に歌唱する必要がないため、歌唱時にプレッシャーを受けずに本来の力を発揮できるものである。
【図面の簡単な説明】
【００３５】
【図１】本発明のカラオケシステムのネットワーク構成図。
【図２】本発明のカラオケシステムを構成するカラオケ演奏端末のブロック構成図。
【図３】歌唱音声の採点機能ブロック構成図。
【図４】本発明のカラオケシステムを構成するカラオケホスト装置のブロック構成図。
【図５】設定採点情報管理テーブルの概念的構成図。
【図６】歌唱力審査エントリー用の表示画面の変遷図。
【図７】本発明における歌唱力エントリーのシステムフロー図。
【符号の説明】
【００３６】
１  歌唱力審査エントリーカラオケシステム
１０，６１  中央制御手段
１１，６３  ＨＤＤ
１２  ＲＡＭ
４０，６５  利用者ＩＤ
４１，６６  楽曲コード
４２，６７  採点結果
４３，６８  録音情報
２４  録音入力インタフェイス
３５  歌唱力採点手段
Ｈ  カラオケホスト装置
Ｐ  カラオケ演奏端末
Ｎ  ネットワーク通信回線
Ｔ  設定採点情報管理テーブル
ｆ１  利用者ＩＤフィールド
ｆ２  楽曲コードフィールド
ｆ３  設定採点値フィールド
ｆ４  段位認定フィールド
ｆ５  設定日時フィールド
【図１】
2005345557.tif 000003
【図２】
2005345557.tif 000004
【図３】
2005345557.tif 000005
【図４】
2005345557.tif 000006
【図５】
2005345557.tif 000007
【図６】
2005345557.tif 000008
【図７】
2005345557.tif 000009